(57)【要約】【課題】印刷用紙の裏面側に広告などの印刷付加データを印刷する際、印刷用紙の表面側に印刷される文字の判読性を低下させないようにして印刷出力を行う。【解決手段】印刷用紙の表裏両面に印刷する両面印刷機能を備えた画像形成装置１は、文字データと画像データとを含んで構成される印刷付加データを予め記憶している。この画像形成装置１は、印刷用紙の表面側に印刷するための原稿データを取得すると、その原稿データに含まれる文字領域と画像領域とを判別する。そして原稿データに基づいて表面印刷を行い、原稿データにおける文字領域の裏面側に対応する位置に印刷付加データに含まれる画像データを配置し、原稿データにおける画像領域の裏面側に対応する位置に印刷付加データに含まれる文字データを配置することにより裏面印刷を行うように構成される。【選択図】図３
2012045814.tif 000002
【特許請求の範囲】
【請求項１】
印刷用紙の表裏両面に印刷する両面印刷機能を備えた画像形成装置であって、
文字データと画像データとを含んで構成される印刷付加データを記憶する記憶手段と、
印刷用紙の表面側に印刷するための原稿データを取得する原稿データ取得手段と、
前記原稿データに含まれる文字領域と画像領域とを判別する領域判別手段と、
前記原稿データに基づいて表面印刷を行い、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することにより裏面印刷を行う印刷制御手段と、
を備えることを特徴とする画像形成装置。
【請求項２】
前記印刷制御手段は、印刷用紙の種類が所定の種類である場合に、裏面印刷を行う際に、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することを特徴とする請求項１に記載の画像形成装置。
【請求項３】
前記印刷付加データは、文字データと画像データとが予め所定のパターンで配置されたデータであり、
前記印刷制御手段は、前記領域判別手段の判別結果に基づいて裏面印刷を行う際、前記印刷付加データに含まれる文字データと画像データとを分割し、前記原稿データにおける文字領域の裏面側に対応する位置に前記印刷付加データから分割した画像データを再配置し、前記原稿データにおける画像領域の裏面側に対応する位置に前記印刷付加データから分割した文字データを再配置することを特徴とする請求項１又は２に記載の画像形成装置。
【請求項４】
前記印刷付加データは、印刷サイズの異なる複数種類の文字データと、印刷サイズの異なる複数種類の画像データとを含んでおり、
前記印刷制御手段は、複数種類の画像データの中から前記領域判別手段によって判別された文字領域のサイズと略同一サイズとなる画像データを選択すると共に、複数種類の文字データの中から前記領域判別手段によって判別された画像領域のサイズと略同一サイズとなる文字データを選択して印刷用紙の裏面側に配置して裏面印刷を行うことを特徴とする請求項１又は２に記載の画像形成装置。
【請求項５】
前記印刷制御手段は、前記原稿データにおける文字領域に含まれる文字の文字サイズと、前記印刷付加データに含まれる文字の文字サイズとを比較し、それら文字サイズの差異が所定値以上である場合は、前記原稿データにおける文字領域の裏面側に対応する位置に前記印刷付加データに含まれる文字データを配置することを許可することを特徴とする請求項１乃至４のいずれかに記載の画像形成装置。
【請求項６】
印刷用紙の表裏両面に印刷する両面印刷機能を備えた画像形成装置であって、
文字サイズの異なる複数種類の文字データを含んで構成される印刷付加データを記憶する記憶手段と、
印刷用紙の表面側に印刷するための原稿データを取得する原稿データ取得手段と、
前記原稿データに含まれる文字領域と画像領域とを判別する領域判別手段と、
前記原稿データに基づいて表面印刷を行い、前記原稿データにおける文字領域の裏面側に対応する位置に、前記印刷付加データに含まれる複数種類の文字データの中から前記原稿データにおける文字領域に含まれる文字の文字サイズと所定値以上異なるサイズの文字データを選択して配置することにより裏面印刷を行う印刷制御手段と、
を備えることを特徴とする画像形成装置。
【請求項７】
印刷用紙の表裏両面に印刷する両面印刷機能を備えた画像形成装置において、予め記憶された印刷付加データに含まれる文字データと画像データとを印刷用紙の裏面側に配置して印刷を行う印刷制御方法であって、
印刷用紙の表面側に印刷するための原稿データを取得するステップと、
前記原稿データに含まれる文字領域と画像領域とを判別するステップと、
前記原稿データに基づいて表面印刷を行い、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することにより裏面印刷を行うステップと、
を備えることを特徴とする印刷制御方法。
【発明の詳細な説明】
【技術分野】
【０００１】
本発明は、画像形成装置および印刷制御方法に関し、特に、広告データなどのように文字データと画像データとを含んで構成される印刷付加データを印刷用紙の裏面側に印刷して出力する技術に関する。
【背景技術】
【０００２】
近年、コンビニエンスストアや学校校内などに設置されるコピー機能を備えた画像形成装置において、コピー出力を行う際に、印刷用紙の表面側に原稿から読み取った画像を印刷し、裏面側に予め記憶されている広告などの画像を印刷することにより、利用者に対して安価で又は無料でコピーサービスを提供できるようにしたものが提案されている（例えば特許文献１，２）。
【０００３】
例えば特許文献１には、印刷データを入力すると、サーバから広告データを取得し、印刷用紙の表面側に入力した印刷データを印刷し、裏面側にサーバから取得した広告データを印刷する技術が開示されている。また特許文献２には、印刷用紙の表面側に印刷する原稿画像がカラー画像である場合、カラー又はモノクロの広告画像を選択して印刷用紙の裏面側に印刷し、印刷用紙の表面側に印刷する原稿画像がモノクロ画像である場合、モノクロの広告画像を選択して印刷用紙の裏面側に印刷する技術が開示されている。
【先行技術文献】
【特許文献】
【０００４】
【特許文献１】特開２０００−３２６５８１号公報
【特許文献２】特開２００９−２０２５５１号公報
【発明の概要】
【発明が解決しようとする課題】
【０００５】
ところが、印刷用紙の裏面全体に広告画像が印刷されてしまうと、用紙の種類によっては裏面の広告画像が表面側に透けてしまい、表面に印刷された画像の視認性が低下してしまう。一方、利用者にとっては安価に又は無料でコピーサービスを利用できるため、ある程度の視認性低下は許容されるものと考えられる。
【０００６】
しかしながら、原稿を読み取って印刷用紙の表面側に印刷された画像に文字が含まれている場合、その文字の判読性が裏面に印刷された広告によって低下してしまうと、コピー出力される印刷物が利用しづらくなる。このような事態が発生すると、コピーサービスの利用者が減少し、広告主にとってはコピー出力による有益な広告が行えなくなる。
【０００７】
印刷用紙の表面側に印刷される文字の判読性が低下するケースとして顕著なものは、表面の文字部分の裏面側にほぼ同じサイズの文字が印刷されるケースである。この場合、裏面に印刷された広告の文字が裏写りすると、表面側の文字と裏面側の文字とが被った状態で見えてしまい、表面側の文字が読み難くなるという問題がある。
【０００８】
本発明は、上記従来の問題点を解決するためになされたものであり、印刷用紙の裏面側に広告などの印刷付加データを印刷する際、印刷用紙の表面側に印刷される文字の判読性を低下させないようにして印刷出力を行うことが可能な画像形成装置および印刷制御方法を提供することを目的としている。
【課題を解決するための手段】
【０００９】
上記目的を達成するため、請求項１にかかる発明は、印刷用紙の表裏両面に印刷する両面印刷機能を備えた画像形成装置であって、文字データと画像データとを含んで構成される印刷付加データを記憶する記憶手段と、印刷用紙の表面側に印刷するための原稿データを取得する原稿データ取得手段と、前記原稿データに含まれる文字領域と画像領域とを判別する領域判別手段と、前記原稿データに基づいて表面印刷を行い、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することにより裏面印刷を行う印刷制御手段と、を備えることを特徴とする構成である。
【００１０】
請求項２にかかる発明は、請求項１に記載の画像形成装置において、前記印刷制御手段は、印刷用紙の種類が所定の種類である場合に、裏面印刷を行う際に、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することを特徴とする構成である。
【００１１】
請求項３にかかる発明は、請求項１又は２に記載の画像形成装置において、前記印刷付加データは、文字データと画像データとが予め所定のパターンで配置されたデータであり、前記印刷制御手段は、前記領域判別手段の判別結果に基づいて裏面印刷を行う際、前記印刷付加データに含まれる文字データと画像データとを分割し、前記原稿データにおける文字領域の裏面側に対応する位置に前記印刷付加データから分割した画像データを再配置し、前記原稿データにおける画像領域の裏面側に対応する位置に前記印刷付加データから分割した文字データを再配置することを特徴とする構成である。
【００１２】
請求項４にかかる発明は、請求項１又は２に記載の画像形成装置において、前記印刷付加データは、印刷サイズの異なる複数種類の文字データと、印刷サイズの異なる複数種類の画像データとを含んでおり、前記印刷制御手段は、複数種類の画像データの中から前記領域判別手段によって判別された文字領域のサイズと略同一サイズとなる画像データを選択すると共に、複数種類の文字データの中から前記領域判別手段によって判別された画像領域のサイズと略同一サイズとなる文字データを選択して印刷用紙の裏面側に配置して裏面印刷を行うことを特徴とする構成である。
【００１３】
請求項５にかかる発明は、請求項１乃至４のいずれかに記載の画像形成装置において、前記印刷制御手段は、前記原稿データにおける文字領域に含まれる文字の文字サイズと、前記印刷付加データに含まれる文字の文字サイズとを比較し、それら文字サイズの差異が所定値以上である場合は、前記原稿データにおける文字領域の裏面側に対応する位置に前記印刷付加データに含まれる文字データを配置することを許可することを特徴とする構成である。
【００１４】
請求項６にかかる発明は、印刷用紙の表裏両面に印刷する両面印刷機能を備えた画像形成装置であって、文字サイズの異なる複数種類の文字データを含んで構成される印刷付加データを記憶する記憶手段と、印刷用紙の表面側に印刷するための原稿データを取得する原稿データ取得手段と、前記原稿データに含まれる文字領域と画像領域とを判別する領域判別手段と、前記原稿データに基づいて表面印刷を行い、前記原稿データにおける文字領域の裏面側に対応する位置に、前記印刷付加データに含まれる複数種類の文字データの中から前記原稿データにおける文字領域に含まれる文字の文字サイズと所定値以上異なるサイズの文字データを選択して配置することにより裏面印刷を行う印刷制御手段と、を備えることを特徴とする構成である。
【００１５】
請求項７にかかる発明は、印刷用紙の表裏両面に印刷する両面印刷機能を備えた画像形成装置において、予め記憶された印刷付加データに含まれる文字データと画像データとを印刷用紙の裏面側に配置して印刷を行う印刷制御方法であって、印刷用紙の表面側に印刷するための原稿データを取得するステップと、前記原稿データに含まれる文字領域と画像領域とを判別するステップと、前記原稿データに基づいて表面印刷を行い、前記原稿データにおける文字領域の裏面側に対応する位置に前記印刷付加データに含まれる画像データを配置し、前記原稿データにおける画像領域の裏面側に対応する位置に前記印刷付加データに含まれる文字データを配置することにより裏面印刷を行うステップと、を備えることを特徴とする構成である。
【発明の効果】
【００１６】
本発明によれば、印刷用紙の裏面側に広告などの印刷付加データを印刷する際、印刷用紙の表面側に印刷される文字の判読性を低下させないようにして印刷出力を行うことが可能である。
【図面の簡単な説明】
【００１７】
【図１】画像形成システムの一構成例を示す図である。
【図２】画像形成装置のハードウェア構成の一例を示すブロック図である。
【図３】画像形成装置における制御部の詳細な機能構成を示すブロック図である。
【図４】制御部において表面印刷データおよび裏面印刷データを生成する過程を説明する図である。
【図５】制御部によって行われる処理手順の一例を示すフローチャートである。
【図６】印刷用紙の厚さが所定厚さ以下の場合に行う印刷付加データ配置処理の詳細な処理手順の一例を示すフローチャートである。
【図７】印刷付加データがドキュメント形式のデータである場合の分割処理と再配置処理の概念を示す図である。
【図８】印刷付加データが印刷サイズの異なる複数種類の文字データと印刷サイズの異なる複数種類の画像データとを含んでいる場合の一例を示す図である。
【図９】文字データと画像データとの配置態様の一例を示す図である。
【図１０】第２の実施の形態において印刷用紙の厚さが所定厚さ以下の場合に行う印刷付加データ配置処理の詳細な処理手順の一例を示すフローチャートである。
【図１１】第３の実施の形態において印刷付加データに含まれる複数種類の文字データの一例を示す図である。
【図１２】第３の実施の形態において印刷用紙の厚さが所定厚さ以下の場合に行う印刷付加データ配置処理の詳細な処理手順の一例を示すフローチャートである。
【発明を実施するための形態】
【００１８】
以下、本発明に関する好ましい実施形態について図面を参照しつつ詳細に説明する。尚、以下に説明する実施形態において互いに共通する部材には同一符号を付しており、それらについての重複する説明は省略する。
【００１９】
（第１の実施の形態）
図１は、本発明の第１の実施の形態である画像形成システムの一構成例を示す図である。この画像形成システムでは、コンビニエンスストアや学校校内などの特定場所Ｐに、デジタル複合機やＭＦＰ（Multi Function Peripheral）などと呼ばれる画像形成装置１が設置されている。この画像形成装置１は、原稿を読み取り、その読み取った原稿画像をシート状の記録媒体である印刷用紙に印刷して出力するコピー機能を備えており、利用者にコピーサービスを提供する。また画像形成装置１は、印刷用紙の表裏両面に印刷する両面印刷機能を備えている。このような画像形成装置１は、公衆通信網やインターネットなどのネットワーク２を介して外部のコンピュータ３とデータ通信可能に接続されている。
【００２０】
画像形成装置１は、ハードディスク装置などで構成される記憶装置５を備えている。この記憶装置５には、広告データである印刷付加データ６が予め記憶されている。この印刷付加データ６は、例えば定期的に又は不定期にコンピュータ３からダウンロードされ、適宜更新されるようになっている。また、この印刷付加データ６は、特定場所Ｐにおける画像形成装置１の管理者などが自動操作で記憶装置５に記憶したり、最新のものに更新したりすることもできる。このような印刷付加データ６には、文字データ７と画像データ８とが含まれている。文字データ７は、広告対象の商品やサービスの名称や価格などを記述したテキストデータである。また画像データ８は、広告対象の商品やサービスなどの写真やイメージ図などを表したグラフィックデータである。
【００２１】
画像形成装置１は、利用者によってコピー機能が利用されるとき、原稿から読み取った原稿画像を印刷用紙の表面側に印刷し、その印刷用紙の裏面側に印刷付加データ６に含まれる文字データ７と画像データ８とを配置して印刷することができるように構成される。つまり、この画像形成装置１は、コピー出力を行う際、印刷用紙の裏面側に広告などを印刷することで、利用者に対して比較的安価に又は無料でコピーサービスを提供するものである。
【００２２】
図２は、画像形成装置１のハードウェア構成の一例を示すブロック図である。図２に示すように、画像形成装置１は、制御部１０と、操作パネル１３と、スキャナ部１６と、プリンタ部１７と、通信インタフェース１８と、記憶装置５とを備えており、これらがデータバス１９を介して相互にデータの入出力を行うことができる構成である。
【００２３】
制御部１０は、ＣＰＵ１１とメモリ１２とを備えている。制御部１０は、ＣＰＵ１１が所定のプログラムを実行することにより、各部の動作を制御する。メモリ１２は、ＣＰＵ１１がプログラムを実行することに伴って必要となる一時的なデータなどを記憶するためのものである。
【００２４】
操作パネル１３は、利用者が画像形成装置１を使用する際に各種の設定操作を行うためのものである。この操作パネル１３は、表示部１４と操作入力部１５とを備えている。表示部１４は、例えば液晶ディスプレイで構成され、ユーザに対して各種の選択メニュー画面を表示する。操作入力部１５は、表示部１４の表示画面上に配置されたタッチパネルキーと、表示画面の周囲に配置された押しボタンキーとで構成され、ユーザからの各種操作の入力を受け付ける。例えば、利用者はこの操作パネル１３を操作することにより、コピー出力を行う際に使用する印刷用紙を複数種類の中から選択することができる。そしてコピー機能に関するジョブを実行させる際、利用者は操作入力部１５に含まれるスタートキーを押下することにより、画像形成装置１においてコピージョブの実行が開始される。
【００２５】
スキャナ部１６は、原稿を光学的に読み取り、その原稿画像に基づく原稿データを生成して制御部１０に出力する処理部である。プリンタ部１７は、制御部１０から入力する印刷データに基づき、利用者によって選択された印刷用紙に印刷を行って出力する処理部である。制御部１０は、コピージョブを実行する際、これらスキャナ部１６とプリンタ部１７とを連動させ、スキャナ部１６から入力する原稿データに基づいて印刷用紙の表面側に印刷するための表面印刷データを生成すると共に、記憶装置５から印刷付加データ６を読み出して文字データ７と画像データ８とを原稿データに基づいて配置し、印刷用紙の裏面側に印刷するための表面印刷データを生成する。そして制御部１０は、それら印刷データをプリンタ部１７に出力することにより、コピー出力を行わせる。
【００２６】
通信インタフェース１８は、ネットワーク２を介して外部のコンピュータ３とデータ通信を行うためのものである。制御部１０は、この通信インタフェース１８を介して印刷付加データ６を入力すると、その印刷付加データ６を記憶装置５に記憶する。
【００２７】
図３は、画像形成装置１における制御部１０の詳細な機能構成を示すブロック図である。図３にはコピージョブを実行する場合の機能構成を示している。この場合、制御部１０は、主として原稿データ取得部２１、領域判別部２２、印刷制御部２３、および印刷データ出力部２４として機能する。原稿データ取得部２１は、印刷用紙の表面側に印刷するための原稿データをスキャナ部１６から取得する処理部である。領域判別部２２は、原稿データ取得部２１が取得した原稿データを解析し、原稿データに含まれる文字領域と画像領域とを判別する処理部である。印刷制御部２３は、プリンタ部１７に出力するための印刷データを生成する処理部である。印刷データ出力部２４は、印刷制御部２３によって生成される印刷データをプリンタ部１７に出力する処理部である。
【００２８】
本実施形態の領域判別部２２は、例えば、原稿データの原稿画像全体に対して文字認識処理（ＯＣＲ処理）を行うことにより、文字を抽出することができた画像成分の領域を文字領域として判別し、文字を抽出することができなかった画像成分の領域を画像領域として判別する。また、それ以外の領域は余白領域となる。
【００２９】
本実施形態の印刷制御部２３は、さらに詳しく説明すると、図３に示すように、表面印刷データ生成部３１と、印刷付加データ読出部３２と、画像データ配置部３３と、文字データ配置部３４と、裏面印刷データ生成部３５とを備えている。このうち、表面印刷データ生成部３１は、印刷用紙の表面側に印刷するための印刷データを生成する処理部である。また、印刷付加データ読出部３２、画像データ配置部３３、文字データ配置部３４および裏面印刷データ生成部３５は、印刷用紙の裏面側に印刷するための印刷データを生成するための処理部である。
【００３０】
表面印刷データ生成部３１は、原稿データ取得部２１が取得した原稿データを入力し、その原稿データに基づいて印刷用紙の表面側に印刷するための表面印刷データを生成する。そして、表面印刷データ生成部３１は、生成した表面印刷データを印刷データ出力部２４に出力する。
【００３１】
印刷付加データ読出部３２は、領域判別部２２によって原稿データに含まれる文字領域と画像領域との判別が行われると機能する。この印刷付加データ読出部３２は、記憶装置５から印刷付加データ６を読み出す処理部である。
【００３２】
画像データ配置部３３は、印刷付加データ読出部３２によって読み出された印刷付加データ６に含まれる画像データ８を選択し、その画像データ８を印刷用紙の裏面側に配置する処理部である。この画像データ配置部３３は、領域判別部２２によって判別された文字領域の裏面側に対応する位置に印刷付加データ６に含まれる画像データ８を配置する。
【００３３】
文字データ配置部３４は、印刷付加データ読出部３２によって読み出された印刷付加データ６に含まれる文字データ７を選択し、その文字データ７を印刷用紙の裏面側に配置する処理部である。この文字データ配置部３４は、領域判別部２２によって判別された画像領域の裏面側に対応する位置に印刷付加データ６に含まれる文字データ７を配置する。
【００３４】
裏面印刷データ生成部３５は、画像データ配置部３３および文字データ配置部３４による画像データ８と文字データ７の配置結果に基づき、印刷用紙の裏面側に印刷するための裏面印刷データを生成する。そして、裏面印刷データ生成部３５は、その生成した裏面印刷データを印刷データ出力部２４に出力する。
【００３５】
そして印刷データ出力部２４は、表面印刷データ生成部３１から入力する表面印刷データと、裏面印刷データ生成部３５から入力する裏面印刷データのそれぞれをプリンタ部１７に出力する。プリンタ部１７は、これらの表面印刷データおよび裏面印刷データのそれぞれに基づいて印刷用紙の表裏両面に対して印刷を行い、両面印刷が施された用紙を出力する。
【００３６】
図４は、制御部１０において表面印刷データおよび裏面印刷データを生成する過程を説明する図である。図４（ａ）は、スキャナ部１６によって生成される原稿データの一例を示している。この原稿データには、用紙の上部に文字が含まれており、下部に写真などの画像が含まれている。そして図４（ａ）に示す原稿データがほぼそのままの状態で表面印刷データとして生成され、プリンタ部１７へと出力される。
【００３７】
また領域判別部２２は、図４（ａ）に示すような原稿データに基づいて領域判別を行う。その結果、領域判別部２２は、図４（ｂ）に示すように文字領域と画像領域とを判別する。そして画像データ配置部３３および文字データ配置部３４のそれぞれは、図４（ｂ）のような領域判別の結果に基づいて、印刷用紙の裏面側に対して画像データ８を配置する領域と、文字データ７を配置する領域とを演算により求める。その結果、印刷用紙の裏面に対して画像データ８を配置する領域と、文字データ７を配置する領域は、図４（ｃ）に示すような状態となる。そして画像データ配置部３３は、図４（ｃ）に示す画像データ８を配置する領域に対して印刷付加データ読出部３２が読み出した印刷付加データ６に含まれる画像データ８を配置する。また文字データ配置部３４は、図４（ｃ）に示す文字データ７を配置する領域に対して印刷付加データ読出部３２が読み出した印刷付加データ６に含まれる文字データ７を配置する。その結果、図４（ｄ）に示すような印刷用紙の裏面側に印刷するための画像が形成される。そして図４（ｄ）に示す画像がほぼそのままの状態で裏面印刷データとして生成され、プリンタ部１７へと出力される。
【００３８】
そのため、本実施形態の画像形成装置１は、印刷対象となる原稿データの文字領域の裏面側に広告画像などの画像データを印刷し、原稿データの画像領域の裏面側に広告文などの文字データを印刷するようになり、裏面側の広告文が裏写りしたとしても、表面側の文字には被らないように印刷することができる。
【００３９】
次に、このような画像形成装置１における制御部１０の処理手順について説明する。図５は、制御部１０によって行われる処理手順の一例を示すフローチャートである。制御部１０は、この処理を開始すると、利用者による設定操作の入力を受け付ける（ステップＳ１０）。この設定操作では、例えば、コピー出力を行う際の印刷用紙の選択などが行われる。そして、制御部１０は、利用者がスタートキーを押下することによりコピー開始が指示されたか否かを判断する（ステップＳ１１）。ここで、コピー開始が指示されていない場合は、ステップＳ１０に戻る。これに対し、コピー開始が指示された場合は、ステップＳ１２に進む。
【００４０】
コピー開始が指示された場合（ステップＳ１１でＹＥＳ）、制御部１０は、スキャナ部１６に対して原稿の読み取り動作を行わせる（ステップＳ１２）。スキャナ部１６が原稿の読み取り動作を行うと、制御部１０は、それに伴ってスキャナ部１６から原稿データを取得する（ステップＳ１３）。そして制御部１０は、原稿データに基づいて表面印刷データを生成する（ステップＳ１４）。
【００４１】
次に制御部１０は、利用者によって選択された印刷用紙の種類を判別する（ステップＳ１５）。ここで、判別する種類は、特に印刷用紙の厚さに関する種類である。そして制御部１０は、利用者によって選択された印刷用紙が所定厚さ以下か否かを判断する（ステップＳ１６）。すなわち、印刷用紙の厚さが所定厚さ以下の場合、裏面に印刷したものが表面側に裏写りする可能性があるが、所定厚さよりも厚い印刷用紙の場合には裏写りの可能性はない。このようなことから、上述したような原稿データの文字領域の裏面側に広告画像などの画像データを配置し、原稿データの画像領域の裏面側に広告文などの文字データを配置する処理は、印刷用紙の厚さが所定厚さ以下である場合に行えば良い。それ故、制御部１０は、印刷用紙の厚さが所定厚さ以下の場合に印刷付加データ配置処理を実行する（ステップＳ１７）。
【００４２】
図６は、印刷用紙の厚さが所定厚さ以下の場合に行う印刷付加データ配置処理（ステップＳ１７）の詳細な処理手順の一例を示すフローチャートである。制御部１０は、この処理を開始すると、スキャナ部１６から取得した原稿データの領域判別処理を行う（ステップＳ３１）。この領域判別処理により、原稿データに含まれる文字領域と画像領域とが判別される。そして制御部１０は、記憶装置５から印刷付加データ６を読み出す（ステップＳ３２）。
【００４３】
ここで、印刷付加データ６には、上述したように文字データ７と画像データ８とが含まれるが、このような印刷付加データ６には様々なデータ形式がある。例えば、文字データ７と画像データ８とが特定サイズの用紙イメージに対して予め所定のパターンで配置されたドキュメント形式のデータであることがある。また、印刷付加データ６には、印刷サイズの異なる複数種類の文字データと、印刷サイズの異なる複数種類の画像データとが含まれる場合もある。印刷付加データ６が、仮にドキュメント形式のデータである場合、それに含まれる文字データ７と画像データ８とを個別に配置するためには、まずドキュメント形式のデータから文字データ７と画像データ８とを分割する必要がある。
【００４４】
そのため、制御部１０は、記憶装置５から読み出した印刷付加データ６を解析し、文字データ７と画像データ８との分割処理を行う必要があるか否かを判断する（ステップＳ３３）。その結果、分割処理が必要な場合、制御部１０は、印刷付加データ６から文字データ７と画像データ８とを分割して抽出する処理を実行する（ステップＳ３４）。尚、この場合の分割は、例えばドキュメント形式のデータに付加されている属性情報（ドキュメントに含まれる各コンテンツが文字或いは画像のいずれであるかを示す情報）に基づいて行われる。一方、分割処理が必要ない場合、ステップＳ３４の処理は行われない。
【００４５】
そして制御部１０は、領域判別処理（ステップＳ３１）によって判別された文字領域を選択する（ステップＳ３５）。そして制御部１０は、印刷付加データ６から抽出した画像データ８の中から、その選択した文字領域の裏面側に配置するための画像データ８を選択する（ステップＳ３６）。このとき、例えば選択対象となる複数の画像データ８が存在する場合、制御部１０は、印刷用紙の表面側に印刷する文字領域のサイズに最も近い印刷サイズとなる画像データ８を選択する。これにより、印刷付加データ６に含まれる画像データ８の拡大処理や縮小処理を行う必要がなくなる。そして制御部１０は、その選択した画像データ８を印刷用紙の裏面側であって、表面側の文字領域に対応する位置に配置する（ステップＳ３７）。尚、領域判別処理（ステップＳ３１）によって原稿データから複数の文字領域が検出されていた場合は、各文字領域について上記ステップＳ３５〜Ｓ３７の処理が繰り返し行われる。
【００４６】
次に制御部１０は、領域判別処理（ステップＳ３１）によって判別された画像領域を選択する（ステップＳ３８）。そして制御部１０は、印刷付加データ６から抽出した文字データ７の中から、その選択した画像領域の裏面側に配置するための文字データ７を選択する（ステップＳ３９）。このとき、例えば選択対象となる複数の文字データ７が存在する場合、制御部１０は、印刷用紙の表面側に印刷する画像領域のサイズに最も近い印刷サイズとなる文字データ７を選択する。これにより、印刷付加データ６に含まれる文字データ７の拡大処理や縮小処理を行う必要がなくなる。そして制御部１０は、その選択した文字データ７を印刷用紙の裏面側であって、表面側の画像領域に対応する位置に配置する（ステップＳ４０）。尚、領域判別処理（ステップＳ３１）によって原稿データから複数の画像領域が検出されていた場合は、各画像領域について上記ステップＳ３８〜Ｓ４０の処理が繰り返し行われる。以上で、印刷付加データ配置処理（ステップＳ１７）が終了する。
【００４７】
このように本実施形態では、印刷用紙の厚さが所定厚さ以下の場合は裏面に印刷したものが表面側に裏写りする可能性があるので、原稿データの文字領域の裏面側に広告画像などの画像データを配置し、原稿データの画像領域の裏面側に広告文などの文字データを配置する処理が行われる。
【００４８】
図５に戻り、印刷用紙の厚さが所定厚さ以下でない場合（ステップＳ１６でＮＯ）、制御部１０は、記憶装置５から印刷付加データ６を読み出し（ステップＳ１８）、所定の配置パターンで文字データ７と画像データ８とを印刷用紙の裏面側に配置する（ステップＳ１９）。例えば、印刷付加データ６が、上述したようなドキュメント形式のデータである場合、用紙イメージに対して文字データ７と画像データ８とが予め所定のパターンで配置されているので、それをそのまま印刷用紙の裏面側に配置する。また印刷付加データ６がドキュメント形式のデータでない場合であっても、その印刷付加データ６に含まれる文字データ７と画像データ８とを予め定められた所定のパターンで配置すれば良い。この場合、原稿データの領域判別処理を行う必要がないので、文字データ７と画像データ８の配置処理を効率的に行うことができる。
【００４９】
そして制御部１０は、ステップＳ１７又はステップＳ１９における配置結果に基づき、印刷用紙の裏面側に印刷するための裏面印刷データを生成する（ステップＳ２０）。その後、制御部１０は、ステップＳ１４で生成された表面印刷データと、ステップＳ２０で生成された裏面印刷データのそれぞれをプリンタ部１７へ出力し（ステップＳ２１）、両面印刷を実行する（ステップＳ２２）。そして両面印刷の出力が完了すると、この処理は終了する。
【００５０】
図７は、印刷付加データ６がドキュメント形式のデータである場合の分割処理と再配置処理の概念を示す図である。例えば印刷付加データ６が、図７（ａ）に示すように特定サイズの用紙イメージに対して予め所定のパターンで配置されたドキュメント形式のデータであるとする。図７（ａ）の例では、文字データ７として、１つの文字データ７ａが含まれており、画像データ８として、２つの画像データ８ａ，８ｂが含まれている。印刷用紙の厚さが所定厚さ以下の場合、図７（ａ）に対する印刷付加データ６に対して文字データ７と、画像データ８とを分割する処理が行われる。その結果、図７（ａ）の印刷付加データ６から、図７（ｂ）に示すように画像データ８ａ，８ｂと文字データ７ａとが分割抽出される。そして、このようにして分割抽出された画像データ８ａ，８ｂおよび文字データ７ａは、図７（ｃ）に示すように原稿データの文字領域および画像領域として判別されたそれぞれの領域に対応する裏面側に再配置される。このとき、画像データ８ａ，８ｂは、文字領域の裏面側に配置され、文字データ７ａは画像領域の裏面側に配置される。したがって、印刷用紙の裏面側に対する画像データ８ａ，８ｂおよび文字データ７ａの再配置が完了すると、図７（ｄ）に示すような印刷イメージとなる。そして図７（ｄ）に示す印刷イメージに基づいて裏面印刷データが生成される。尚、このような分割処理や再配置処理には、一定の処理時間を要することになるが、コピー出力された印刷物では、表面側の文字領域に含まれる文字には、裏面側の文字が被らないので、表面側の文字の判読性が低下することを良好に防止することができる。
【００５１】
次に図８は、印刷付加データ６が、印刷サイズの異なる複数種類の文字データ７ａ，７ｂ，７ｃ，７ｄと、印刷サイズの異なる複数種類の画像データ８ａ，８ｂ，８ｃ，８ｄとを含んでいる場合の一例を示す図である。これら複数種類の文字データ７ａ，７ｂ，７ｃ，７ｄおよび複数種類の画像データ８ａ，８ｂ，８ｃ，８ｄは、１つの広告対象について纏められたものである。それ故、複数種類の文字データ７ａ，７ｂ，７ｃ，７ｄのそれぞれは、印刷サイズの相違により情報量の違いはあるものの、それらは同じ広告対象を広告するための文字データである。また、複数種類の画像データ８ａ，８ｂ，８ｃ，８ｄについても同様であり、印刷サイズの相違により情報量の違いはあるものの、それらは同じ広告対象を広告するための画像である。
【００５２】
このように印刷付加データ６に、印刷サイズの異なる複数種類の文字データ７ａ，７ｂ，７ｃ，７ｄと、印刷サイズの異なる複数種類の画像データ８ａ，８ｂ，８ｃ，８ｄとを含めておくことにより、印刷用紙の裏面側に文字データと画像データを配置する際、原稿データに文字領域と画像領域とが様々な態様で含まれる場合であっても、それに対応させて印刷用紙の裏面側に略同一サイズの文字データと画像データとを配置できるようになる。
【００５３】
図９は、文字データと画像データとの配置態様の一例を示す図である。例えば、原稿データが図９（ａ）に示すようなものであった場合、この原稿データから文字領域と画像領域とを判別すると、図９（ｂ）に示すように、２つの文字領域ＲＡ１，ＲＡ２と、２つの画像領域ＲＡ３，ＲＡ４とが抽出される。これを印刷用紙の裏面側に反転させると、図９（ｃ）に示すように２つの文字領域ＲＢ１，ＲＢ２と、２つの画像領域ＲＢ３，ＲＢ４とが得られる。図９（ｃ）において、２つの文字領域ＲＢ１，ＲＢ２が印刷付加データ６に含まれる画像データ８を配置する領域であり、２つの画像領域ＲＢ３，ＲＢ４が印刷付加データ６に含まれる文字データ７を配置する領域である。
【００５４】
この場合、制御部１０は、文字領域ＲＢ１と略同一サイズとなる画像データを、図８に示した印刷サイズの異なる複数種類の画像データ８ａ，８ｂ，８ｃ，８ｄの中から１つ選択し、文字領域ＲＢ１の位置に配置する。また、文字領域ＲＢ２と略同一サイズとなる画像データを、図８に示した印刷サイズの異なる複数種類の画像データ８ａ，８ｂ，８ｃ，８ｄの中から１つ選択し、文字領域ＲＢ２の位置に配置する。同様に、制御部１０は、画像領域ＲＢ３と略同一サイズとなる文字データを、図８に示した印刷サイズの異なる複数種類の文字データ７ａ，７ｂ，７ｃ，７ｄの中から１つ選択し、画像領域ＲＢ３の位置に配置する。さらに画像領域ＲＢ４と略同一サイズとなる文字データを、図８に示した印刷サイズの異なる複数種類の文字データ７ａ，７ｂ，７ｃ，７ｄの中から１つ選択し、画像領域ＲＢ４の位置に配置する。その結果、図９（ｄ）に示すような配置結果が得られる。ただし、このような配置を行う場合、１つの紙面に対して同じデータはなるべく配置しないようにすることが好ましい。図例では、画像領域ＲＢ３とＲＢ４とがほぼ同じサイズであるが、これらの画像領域ＲＢ３，ＲＢ４に配置される文字データは、異なるデータとなっている。これにより、全く同じ情報が１つの紙面に印刷されてしまうことを防止できるようになる。尚、図９（ｄ）では、用紙下部の余白領域にも、文字データ７ａを配置した例を示しているが、このような余白領域に配置するデータは文字データと画像データのいずれであっても構わない。
【００５５】
以上のように本実施形態の画像形成装置１は、文字データ７と画像データ８とを含んで構成される印刷付加データ６を予め記憶しており、印刷用紙の表面側に印刷するための原稿データを取得すると、その原稿データに含まれる文字領域と画像領域とを判別するように構成される。そして原稿データに基づいて表面印刷を行うと共に、原稿データにおける文字領域の裏面側に対応する位置に印刷付加データ６に含まれる画像データ８を配置し、原稿データにおける画像領域の裏面側に対応する位置に印刷付加データ６に含まれる文字データ７を配置することにより裏面印刷を行うように構成される。
【００５６】
このような構成によると、印刷付加データ６に含まれる文字データ７は、印刷用紙の表面側に印刷される原稿データの画像領域の裏面側に印刷されるので、裏面に印刷された広告の文字が裏写りしてしまう場合でも、表面側の文字に対して裏面側の文字が被ることはなく、表面側の文字の判読性を低下させないように印刷することができる。また、このような構成によると、印刷用紙の裏面側に印刷される文字データ７の判読性も低下しないので、判読し易い状態で広告情報を提供することが可能である。
【００５７】
また本実施形態の画像形成装置１は、印刷用紙の種類が所定の種類であることを条件として、原稿データにおける文字領域の裏面側に対応する位置に印刷付加データ６に含まれる画像データ８を配置し、原稿データにおける画像領域の裏面側に対応する位置に印刷付加データ６に含まれる文字データ７を配置する処理を行うようにしている。そのため、裏面に印刷された広告の文字が裏写りしてしまう可能性がある場合には、表面側の文字の判読性を低下させないように印刷することができる。一方、裏面に印刷された広告の文字が裏写りしてしまう可能性がない場合には、そのような処理が行われないので、効率的な印刷出力を行うことが可能である。
【００５８】
また本実施形態の画像形成装置１は、印刷付加データ６が文字データ７と画像データ８とが予め所定のパターンで配置されたデータである場合、原稿データの領域判別結果に基づいて裏面印刷を行う際には、印刷付加データ６に含まれる文字データ７と画像データ８とを分割し、原稿データにおける文字領域の裏面側に対応する位置に印刷付加データ６から分割した画像データ８を再配置し、原稿データにおける画像領域の裏面側に対応する位置に印刷付加データ６から分割した文字データ７を再配置するようにしている。そのため、印刷付加データ６が文字データ７と画像データ８とが予め所定のパターンで配置されたデータである場合であっても、表面側の文字の判読性を低下させないように印刷することが可能である。
【００５９】
さらに本実施形態の画像形成装置１は、印刷付加データ６が印刷サイズの異なる複数種類の文字データ７ａ，７ｂ，７ｃ，７ｄと、印刷サイズの異なる複数種類の画像データ８ａ，８ｂ，８ｃ，８ｄとを含んでいるデータである場合、複数種類の画像データ８ａ，８ｂ，８ｃ，８ｄの中から領域判別によって判別された文字領域のサイズと略同一サイズとなる画像データを選択すると共に、複数種類の文字データ７ａ，７ｂ，７ｃ，７ｄの中から領域判別によって判別された画像領域のサイズと略同一サイズとなる文字データを選択し、それらを印刷用紙の裏面側に配置して裏面印刷を行うように構成されている。表面側の文字の判読性を低下させることなく、効果的に印刷付加データ６に含まれるデータを印刷用紙の裏面側に配置することができるようになっている。
【００６０】
（第２の実施の形態）
次に第２の実施の形態について説明する。上述した第１の実施の形態では、印刷用紙の裏面側において、表面側に印刷される原稿データの文字領域に対応する領域には、印刷付加データ６に含まれる画像データ８を印刷する場合を例示した。しかしながら、裏面側に印刷された文字が裏写りして表面側の文字の判読性が顕著に低下するのは、表面側に印刷される文字と裏面側に印刷される文字の文字サイズがほぼ同じサイズとなる場合である。言い換えると、表面側に印刷される文字と裏面側に印刷される文字の文字サイズが顕著に異なる場合は、裏面側に印刷された文字が裏写りしたとしても、表面側の文字の判読性はそれ程低下するものではない。
【００６１】
そこで、第２の実施の形態では、原稿データにおける文字領域に含まれる文字の文字サイズと、印刷付加データ６に含まれる文字の文字サイズとを比較し、それら文字サイズの差異が所定値以上である場合は、原稿データにおける文字領域の裏面側に対応する位置に印刷付加データ６に含まれる文字データ７を配置することを許可する形態について説明する。
【００６２】
本実施形態では、画像形成装置１の構成および基本的な動作は第１の実施の形態と同様である。本実施形態の画像形成装置１が上述した第１の実施の形態と異なる点は、印刷付加データ配置処理（図５のステップＳ１７）における具体的な処理内容であるため、以下においてはこの点を説明する。
【００６３】
図１０は、第２の実施の形態において、印刷用紙の厚さが所定厚さ以下の場合に行う印刷付加データ配置処理（図５のステップＳ１７）の詳細な処理手順の一例を示すフローチャートである。図１０のフローチャートにおけるステップＳ５１〜Ｓ５４の処理は、図６のフローチャートにおけるステップＳ３１〜Ｓ３４と同様である。それ故、ステップＳ５５以降の処理について説明する。
【００６４】
制御部１０は、領域判別処理（ステップＳ５１）によって判別された原稿データの文字領域を選択する（ステップＳ５５）。そして制御部１０は、その選択した文字領域に含まれる文字の文字サイズを検出する（ステップＳ５６）。次に制御部１０は、印刷付加データ６から抽出した文字データ７の中から、その選択した文字領域の裏面側に配置するための文字データ７を選択し（ステップＳ５７）、その文字データ７に含まれる文字の文字サイズを検出する（ステップＳ５８）。そして制御部１０は、ステップＳ５６で検出した原稿データの文字サイズと、ステップＳ５８で検出した文字データ７の文字サイズとを比較し（ステップＳ５９）、それら文字サイズの差が所定値以上であるか否かを判断する（ステップＳ６０）。この所定値は、例えばフォントサイズで言えば、１０ポイント程度の値とすることが好ましい。
【００６５】
その結果、文字サイズの差が所定値以上である場合（ステップＳ６０でＹＥＳ）、制御部１０は、ステップＳ５７で選択した文字データ７を、印刷用紙の裏面側であって、表面側の文字領域に対応する位置に配置する（ステップＳ６１）。これに対し、文字サイズの差が所定値以上でない場合（ステップＳ６０でＮＯ）、制御部１０は、印刷付加データ６から抽出した画像データ８の中から、その文字領域の裏面側に配置するための画像データ８を選択し（ステップＳ６２）、その選択した画像データ８を、印刷用紙の裏面側であって、表面側の文字領域に対応する位置に配置する（ステップＳ６３）。尚、このステップＳ６２，Ｓ６３の処理は、図６のフローチャートにおけるステップＳ３６，Ｓ３７と同様である。
【００６６】
そして制御部１０は、その後、領域判別処理（ステップＳ５１）によって画像領域として判別された領域に対して文字データ７を配置するための処理を実行する（ステップＳ６４〜Ｓ６６）。これらのステップＳ６４〜Ｓ６６の処理は、図６のフローチャートにおけるステップＳ３８〜Ｓ４０と同様である。ただし、ステップＳ６１で文字データ７が配置された場合、これらのステップＳ６４〜Ｓ６６の処理では、ステップＳ６１で配置された文字データ以外を選択して配置することが好ましい。
【００６７】
以上のように本実施形態の画像形成装置１は、原稿データにおける文字領域に含まれる文字の文字サイズと、印刷付加データ６に含まれる文字の文字サイズとを比較し、それら文字サイズの差異が所定値以上である場合は、原稿データにおける文字領域の裏面側に対応する位置に印刷付加データに含まれる文字データ７を配置することを許可するようになっている。これに対し、文字サイズの差異が所定値以上でない場合は、第１の実施の形態と同様に、原稿データにおける文字領域の裏面側に対応する位置には印刷付加データ６に含まれる画像データ８が配置される。したがって、このような構成によれば、印刷用紙の表面側に印刷される文字の判読性を低下させることがなく、しかも比較的大きな文字サイズの文字データ７を印刷用紙の裏面側に対して有効に印刷することができるようになる。
【００６８】
（第３の実施の形態）
次に、第３の実施の形態について説明する。本実施形態では、印刷付加データ６に、同じ印刷サイズで文字サイズの異なる複数種類の文字データが含まれており、それら複数種類の文字データの中から、１つの文字データ７を読み出して画像データ８よりも優先的に印刷用紙の裏面側に配置する形態について説明する。
【００６９】
図１１は、本実施形態において印刷付加データ６に含まれる複数種類の文字データ７ｅ，７ｆ，７ｇの一例を示す図である。尚、図１１では、印刷付加データ６に含まれる画像データ８は図示を省略している。図１１に示すように、複数種類の文字データ７ｅ，７ｆ，７ｇの印刷サイズは略同一のサイズであるが、各文字データ７ｅ，７ｆ，７ｇに含まれる文字の文字サイズが異なっている。それ故、各文字データ７ｅ，７ｆ，７ｇに含まれる文字の情報量が異なっている。
【００７０】
本実施形態の画像形成装置１は、原稿データの文字領域の裏面側に配置するデータを選択する際、図１１に示したような複数種類の文字データ７ｅ，７ｆ，７ｇの中に、文字領域に含まれる文字の文字サイズと比較して、所定値以上異なるサイズの文字データであれば、それを優先的に印刷用紙の裏面側に配置する。尚、本実施形態でも、画像形成装置１の構成および基本的な動作は第１の実施の形態と同様である。
【００７１】
図１２は、第３の実施の形態において、印刷用紙の厚さが所定厚さ以下の場合に行う印刷付加データ配置処理（図５のステップＳ１７）の詳細な処理手順の一例を示すフローチャートである。図１２のフローチャートにおけるステップＳ７１〜Ｓ７４の処理は、図６のフローチャートにおけるステップＳ３１〜Ｓ３４と同様である。それ故、ステップＳ５５以降の処理について説明する。
【００７２】
制御部１０は、領域判別処理（ステップＳ７１）によって判別された原稿データの文字領域を選択する（ステップＳ７５）。そして制御部１０は、その選択した文字領域に含まれる文字の文字サイズを検出する（ステップＳ７６）。次に制御部１０は、印刷付加データ６から、その選択した文字領域と略同一のサイズを示す複数種類の文字データ７ｅ，７ｆ，７ｇを特定し、それら複数種類の文字データ７ｅ，７ｆ，７ｇの中に、文字サイズの差が所定値以上の文字データがあるか否かを判断する（ステップＳ７７）。その結果、文字サイズの差が所定値以上の文字データが含まれている場合、その文字データを選択する（ステップＳ７８）。このとき、複数の文字データが該当する場合は、それら複数の文字データのうちで文字サイズがより小さい方を選択する。これにより、広告として印刷する情報量を増やすことができる。そして制御部１０は、選択した文字データを、印刷用紙の裏面側であって、表面側の文字領域に対応する位置に配置する（ステップＳ７９）。
【００７３】
一方、複数種類の文字データ７ｅ，７ｆ，７ｇの中に、文字サイズの差が所定値以上の文字データが含まれていなかった場合（ステップＳ７７でＮＯ）、制御部１０は、印刷付加データ６から抽出した画像データ８の中から、その文字領域の裏面側に配置するための画像データ８を選択し（ステップＳ８０）、その選択した画像データ８を、印刷用紙の裏面側であって、表面側の文字領域に対応する位置に配置する（ステップＳ８１）。尚、このステップＳ８１，Ｓ８２の処理は、図６のフローチャートにおけるステップＳ３６，Ｓ３７と同様である。
【００７４】
そして制御部１０は、その後、領域判別処理（ステップＳ５１）によって画像領域として判別された領域に対して文字データ７を配置するための処理を実行する（ステップＳ８２〜Ｓ８４）。これらのステップＳ８２〜Ｓ８４の処理は、図６のフローチャートにおけるステップＳ３８〜Ｓ４０と同様である。ただし、ステップＳ７９で文字データ７が配置された場合、これらのステップＳ６４〜Ｓ６６の処理では、ステップＳ７９で配置された文字データ以外を選択して配置することが好ましい。
【００７５】
尚、上述した点以外は、第１の実施の形態と同様である。
【００７６】
以上のように本実施形態の画像形成装置１は、文字サイズの異なる複数種類の文字データ７ｅ，７ｆ，７ｇを含む印刷付加データ６を予め記憶しており、印刷用紙の表面側に印刷するための原稿データを取得すると、原稿データに含まれる文字領域と画像領域とを判別する。そして、原稿データに基づいて表面印刷を行うと共に、原稿データにおける文字領域の裏面側に対応する位置に、印刷付加データ６に含まれる複数種類の文字データの中から原稿データにおける文字領域に含まれる文字の文字サイズと所定値以上異なるサイズの文字データを選択して配置することにより裏面印刷を行うように構成される。
【００７７】
したがって、本実施形態のような構成の場合にも、印刷用紙の表面側に印刷される文字の判読性を低下させることがなく、しかも比較的大きな文字サイズの文字データ７を印刷用紙の裏面側に対して有効に印刷することができるようになる。
【００７８】
（変形例）
以上、本発明に関するいくつかの実施形態について説明したが、本発明は上述した内容に限られるものではなく、種々の変形例が適用可能である。
【００７９】
例えば、上述した実施形態では、主として利用者がコピー機能を利用する場合について説明したが、本発明が適用可能な機能は必ずしもコピー機能に限られない。例えば利用者がプリント出力機能を利用する場合にも、上述した両面印刷を行うことにより、表面側に印刷される文字の判読性を低下させることなく、裏面側に広告などの印刷付加データ６に基づく情報を印刷することが可能である。
【符号の説明】
【００８０】
１  画像形成装置
５  記憶装置（記憶手段）
６  印刷付加データ
７  文字データ
８  画像データ
１０  制御部
２１  原稿データ取得部（原稿データ取得手段）
２２  領域判別部（領域判別手段）
２３  印刷制御部（印刷制御手段）
【図１】
2012045814.tif 000003
【図２】
2012045814.tif 000004
【図３】
2012045814.tif 000005
【図４】
2012045814.tif 000006
【図５】
2012045814.tif 000007
【図６】
2012045814.tif 000008
【図７】
2012045814.tif 000009
【図８】
2012045814.tif 000010
【図９】
2012045814.tif 000011
【図１０】
2012045814.tif 000012
【図１１】
2012045814.tif 000013
【図１２】
2012045814.tif 000014